(57)【特許請求の範囲】
【請求項１】
表示画面上に、所定の操作によりウィンドウを開いて表示させるアイコンを表示するよう制御する表示制御装置であって、
前記ウィンドウを開いて表示させた際の前記表示画面に対する前記ウィンドウの面積比率を取得する面積比率取得部と、
前記面積比率取得部により取得された前記ウィンドウの面積比率を前記表示画面に表示するよう制御する表示制御部とを備える、表示制御装置。
【請求項２】
前記表示制御部は、前記ウィンドウの面積比率を前記アイコン上に百分率の数値で表示するよう制御する、請求項１に記載の表示制御装置。
【請求項３】
前記表示制御部は、前記アイコンの中央から表示される色の濃淡の割合で、前記ウィンドウの面積比率を表示するよう制御する、請求項１または２に記載の表示制御装置。
【請求項４】
前記面積比率取得部により取得された前記ウィンドウの面積比率が１００％である場合、前記アイコンの全てを濃くして表示するよう制御する、請求項３に記載の表示制御装置。
【請求項５】
前記表示画面上に表示された前記アイコンに前記所定の操作を行うためのカーソルが当てられたことを検知する検知部をさらに備え、
前記表示制御部は、前記検知部により前記カーソルが前記アイコンに当てられたことを検知すれば、前記表示画面上に、前記アイコンに前記所定の操作を行ってウィンドウを開いて表示させた状態の前記表示画面を縮小した縮小表示画面を表示して前記面積比率を表示するよう制御する、請求項１〜４のいずれか１項に記載の表示制御装置。
【請求項６】
前記表示制御部は、前記縮小表示画面が前記表示画面の隅部に表示するよう制御する、請求項５に記載の表示制御装置。
【発明の詳細な説明】
【技術分野】
【０００１】
この発明は、表示制御装置に関するものである。
【背景技術】
【０００２】
コンピューターに接続され、ユーザーとのインターフェースとなるディスプレイは、コンピューター側から発信される情報やユーザーの入力内容を表示する。ここで、ディスプレイの表示画面には、所定の操作、例えば、クリックによりアプリケーションを立ち上げたり、ファイルやフォルダを開けたりするアイコンやツールバーが表示されている。アイコンをクリックすると、ウィンドウを開いて表示して、アプリケーションが立ち上がったり、ファイルやフォルダが開いたりする。
【０００３】
ここで、アイコンの表示に関する技術が、特開平４−２０５１８５号公報（特許文献１）に開示されている。特許文献１によると、施設全体の施設図をディジタル情報として記憶しておき、必要とする施設図を検索してディスプレイ装置に表示するようにした図面管理装置が開示されている。図面管理装置は、検索対象図面のデータ量の大小判別をディスプレイ装置の表示面の検索アイコンの立体的形状の奥行で表示するようにしたことを特徴としている。
【先行技術文献】
【特許文献】
【０００４】
【特許文献１】特開平４−２０５１８５号公報
【発明の概要】
【発明が解決しようとする課題】
【０００５】
表示画面に表示されたアイコンをクリックすると、作業領域となるウィンドウが開いて表示され、アプリケーションを立ち上げたり、ファイルやフォルダを開けることができる。アイコンをクリックしてウィンドウを開ける際の表示の制御については、表示制御装置によって制御されている。ここで、ウィンドウが開いて表示される際に、表示画面に対してどの程度の面積でウィンドウが表示されるのか、開けてみないと分からない状況であった。このような状況は、ユーザーにとって、不便を感じることがあった。
【０００６】
具体的には、例えば、アイコンをクリックして全画面にウィンドウが開いて表示された場合、アイコンをクリックする前に表示画面に表示されていたアイコンや他のウィンドウの上側に重ねて表示されることとなる。そうすると、どのようなアイコンやウィンドウが表示されていたか、不明となってしまうこととなる。このような場合、一旦開けた全画面に表示されたウィンドウを閉じたり、ウィンドウのサイズを小さくしたりして、どのような他のウィンドウ等が開けられていたかを確認する操作が必要となる。このような操作について、ユーザーが不便に感じることがあった。
【０００７】
特許文献１に開示の技術では、アイコンから検索対象図面のデータ量の大小を判別させることとしている。しかし、このような技術では、上記した不便を解消することはできない。
【０００８】
この発明の目的は、ユーザーの利便性を向上することができる表示制御装置を提供することである。
【課題を解決するための手段】
【０００９】
この発明の表示制御装置は、表示画面上に、所定の操作によりウィンドウを開いて表示させるアイコンを表示するよう制御する。表示制御装置は、面積比率取得部と、表示制御部とを備える。面積比率取得部は、ウィンドウを開いて表示させた際の表示画面に対するウィンドウの面積比率を取得する。表示制御部は、面積比率取得部により取得されたウィンドウの面積比率を表示画面に表示するよう制御する。
【発明の効果】
【００１０】
このような表示制御装置によると、表示画面上に、アイコンに対して所定の操作を行ってウィンドウを開いて表示させた際の表示画面に対するウィンドウの面積比率が表示されている。そうすると、ユーザーは、アイコンに対して所定の操作を行ってウィンドウを開いて表示させる前に、ウィンドウを開いて表示させた際の表示画面に対するウィンドウの面積比率を把握することができる。したがって、このような表示制御装置によると、ユーザーの利便性を向上することができる。
【図面の簡単な説明】
【００１１】
【図１】この発明の一実施形態に係る表示制御装置を含む表示システムの構成を示すブロック図である。
【図２】図１に示す表示制御装置を含むコンピューターの外観を示す図である。
【図３】表示画面の一例を示す図である。
【図４】図３に示す表示画面において、アイコンをクリックした状態を示す図である。
【図５】この発明の他の実施形態に係る表示制御装置を含む表示システムにおける表示画面の一例を示す図である。
【図６】この発明のさらに他の実施形態に係る表示制御装置を含む表示システムにおける表示画面の一例を示す図である。
【図７】この発明に係る表示制御装置を含む携帯端末装置の構成を示すブロック図である。
【発明を実施するための形態】
【００１２】
以下、この発明の実施の形態について説明する。図１は、この発明の一実施形態に係る表示制御装置を含む表示システムの構成を示すブロック図である。図２は、図１に示す表示制御装置を含むコンピューターの外観を示す図である。
【００１３】
図１および図２を参照して、表示システム１１は、表示制御装置１３を含むコンピューター１２と、表示画面１７を含むディスプレイ１４と、キーボード１５と、マウス１６とを備える。コンピューター１２は、ディスプレイ１４、キーボード１５、およびマウス１６のそれぞれと接続されている。
【００１４】
コンピューター１２は、コンピューター１２自身を制御するコンピューター制御部１８と、データを格納するハードディスク１９とを備える。ハードディスク１９には、種々のアプリケーションがインストールされている。また、ハードディスク１９には、種々のファイルのデータが格納されている。ディスプレイ１４は、コンピューター１２における情報の表示に際して、ユーザーへの出力のインターフェースとなる。すなわち、ディスプレイ１４の表示画面１７において、コンピューター１２における種々の情報を表示すると共に、ユーザーによる入力内容等を表示する。具体的には、表示画面１７には、所定の操作、例えば、クリックにより、アプリケーションを立ち上げたり、ファイルやフォルダを開けたりするアイコンやツールバー等が表示されている。なお、所定の操作としては、ユーザーとのインターフェースにタッチパネルを用いる場合、タッチパネルによるタッチ操作が含まれる。例えば、画像を形成する複合機において、インターフェースとして操作内容を入力させるタッチパネルが備えられる場合、所定の操作として、このタッチパネルにおけるアイコンやメニューへのタッチ操作が含まれる。
【００１５】
キーボード１５およびマウス１６は、ユーザーからコンピューター１２に対する入力のインターフェースとなる。すなわち、ユーザーは、ディスプレイ１４の表示画面１７に表示される内容を見て、キーボード１５およびマウス１６を用いて、コンピューター１２への動作の実行の命令の入力や数値データの入力等の操作を行う。
【００１６】
表示画面１７による表示を制御する表示制御装置１３は、コンピューター１２に備えられている。表示制御装置１３は、表示画面１７上に、所定の操作、例えば、クリックによりウィンドウを開いて表示させるアイコンを表示するよう制御する。
【００１７】
ここで、表示制御装置１３は、面積比率取得部２１と、表示制御部２２とを備える。面積比率取得部２１は、ウィンドウを開いて表示させた際の表示画面１７に対するウィンドウの面積比率を取得する。表示制御部２２は、面積比率取得部２１により取得されたウィンドウの面積比率を表示画面１７に表示するよう制御する。
【００１８】
図３は、表示画面１７の一例を示す図である。図３を参照して、表示画面１７には、アイコン２３ａ、２３ｂ、２３ｃが表示されている。各アイコン２３ａ〜２３ｃはそれぞれ、表示画面１７の概ね左側の領域に表示されている。ユーザーは、マウス１６によって移動可能に表示されるカーソルでアイコン２３ａ〜２３ｃをクリックすることにより、それぞれのアイコン２３ａ〜２３ｃに対応するアプリケーションを立ち上げるか、または、ファイルやフォルダを開けることができる。この場合、作業領域となるウィンドウを開いて表示させることになる。なお、この実施形態においては、アイコン２３ａをクリックすると、アプリケーションＸが立ち上がり、アイコン２３ｂをクリックすると、アプリケーションＹが立ち上がり、アイコン２３ｃをクリックすると、アプリケーションＺが立ち上がるよう構成されている。
【００１９】
ここで、表示制御部２２は、面積比率取得部２１により取得されたウィンドウの面積比率を表示画面１７に表示するよう制御する。この実施形態においては、表示画面１７に表示されたアイコン２３ａ〜２３ｃ、具体的には、アイコン２３ａ〜２３ｃのそれぞれの右下の領域に、ウィンドウを開いて表示させた際の表示画面１７に対するウィンドウの面積比率２４ａ、２４ｂ、２４ｃが表示されている。面積比率については、表示画面１７の全画面の面積、および前回ウィンドウを開け、その後ウィンドウが閉じられた際に表示されていたウィンドウの面積のデータを基に、面積比率取得部２１によって取得される。具体的な各面積比率２４ａ〜２４ｃとして、面積比率２４ａについては３０％、面積比率２４ｂについては１００％、面積比率２４ｃについては５０％といった百分率で表示されている。この百分率で表される比率は、表示画面１７の全画面を１００％とした割合で表される。この場合、面積比率２４ｂは、全画面表示を表すものである。すなわち、ユーザーは、面積比率２４ａ〜２４ｃを見れば、アイコン２３ａ〜２３ｃをクリックしなくとも、アイコン２３ａ〜２３ｃをクリックした際に開いて表示されるウィンドウの面積比率を把握することができる。
【００２０】
このような面積比率２４ａの表示のあるアイコン２３ａをクリックすると、図４に示すように、実際にアイコン２３ａに対応するアプリケーションＸが立ち上がり、作業領域となるウィンドウ２５が開いて表示される。このウィンドウ２５の面積比率については、表示画面１７の面積の３０％となる。なお、アイコン２３ｂをクリックすると、全画面にウィンドウが開いて表示され、アプリケーションＹが立ち上がる。また、アイコン２３ｃをクリックすると、表示画面１７の面積比率５０％のサイズのウィンドウが開いて表示され、アプリケーションＺが立ち上がる。
【００２１】
このような構成の表示制御装置１３によれば、ディスプレイ１４の表示画面１７に、アイコン２３ａ〜２３ｃをクリックしてウィンドウ２５を開いて表示させた際の表示画面１７に対するウィンドウ２５の面積比率２４ａ〜２４ｃが表示されている。そうすると、ユーザーは、アイコン２３ａ〜２３ｃをクリックしてウィンドウ２５を開いて表示させる前に、ウィンドウ２５を開いて表示させた際の表示画面１７に対するウィンドウ２５の面積比率を把握することができる。そして、アイコン２３ａ〜２３ｃをクリックしてウィンドウ２５が開く前に、どの程度表示画面１７が開いたウィンドウ２５によって占められるのか、予め認識することができる。したがって、例えば、いきなり表示画面１７の全画面にウィンドウ２５が表示されて、どのようなアプリケーションやファイル、フォルダが開いて表示されていたか、どのようなアイコン２３ａ〜２３ｃが表示されていたか、即時に分からなくなるといった状況を回避することができる。その結果、このような表示制御装置１３によると、ユーザーの利便性を向上することができる。
【００２２】
この場合、面積比率２４ａ〜２４ｃが各アイコン２３ａ〜２３ｃにおいて百分率の数値で表示されているため、数値としてより容易にウィンドウ２５の面積比率２４ａ〜２４ｃを把握することができる。
【００２３】
なお、上記の実施の形態においては、面積比率２４ａ〜２４ｃについては、百分率の数値で表示するよう制御することとしたが、これに限らず、アイコン２３ａ〜２３ｃの中央から端に向かって広がるように表示される色の濃淡の割合で表示するよう制御してもよい。すなわち、表示制御部２２は、アイコン２３ａ〜２３ｃの中央から端に向かって広がるように表示される色の濃淡の割合で、ウィンドウ２５の面積比率を表示するよう制御するようにしてもよい。
【００２４】
図５は、この発明の他の実施形態に係る表示制御装置１３を含む表示システムにおける表示画面１７の一例を示す図である。図５を参照して、表示画面１７には、アイコン２６ａ、２６ｂ、２６ｃが表示されている。表示されるアイコン２６ａ内において、中央に配置される濃い色の矩形の領域２７ａが示されている。この領域２７ａのアイコン２６ａの全体に対する面積比率は、３０％である。アイコン２６ｂには、濃い色の領域２７ｂが示されている。なお、この場合、領域２７ｂは、アイコン２６ａの大きさと同じである。すなわち、領域２７ｂのアイコン２６ｂの全体に対する面積比率は、１００％である。アイコン２６ｃ内において、濃い色の矩形の領域２７ｃが示されている。この領域２７ｃのアイコン２６ｃの全体に対する面積比率は、５０％である。
【００２５】
なお、実際にアイコン２６ａをクリックすることにより、図４に示すように、表示画面１７の面積の３０％の面積比率のウィンドウ２５が開いて表示されることとなる。
【００２６】
このように構成することにより、ウィンドウ２５が開いて表示される際のウィンドウ２５の面積比率を、アイコン２６ａ〜２６ｃにおける色の濃い領域２７ａ〜２７ｃによって、予め視覚的に把握しやすくすることができる。
【００２７】
なお、この場合、色の濃淡については、逆にしてもよい。すなわち、中央に近い領域を薄くし、その他を濃くするようにしてもよい。もちろん、配色を変えて表示するようにしてもよい。具体的には、例えば、面積比率に相当する領域の色を赤色とし、その他を青色とする構成である。
【００２８】
また、以下のように構成してもよい。表示制御装置１３は、ディスプレイ１４の表示画面１７上に表示されたアイコン２３ａ〜２３ｃをクリックするためのカーソルが当てられたことを検知する検知部をさらに備える構成とする。そして、表示制御部２２は、検知部によりカーソルがアイコン２３ａ〜２３ｃに当てられたことを検知すれば、ディスプレイ１４の表示画面１７上に、アイコン２３ａ〜２３ｃをクリックしてウィンドウ２５が開いて表示された状態の表示画面１７を縮小した縮小表示画面を表示することにより面積比率を表示するよう制御するようにしてもよい。
【００２９】
図６は、この発明のさらに他の実施形態に係る表示制御装置を含む表示システムにおける表示画面の一例を示す図である。図６を参照して、表示画面１７の左側の領域には、アイコン２８ａ、２８ｂ、２８ｃが表示されている。ここで、アイコン２８ａ〜２８ｃをクリックするために、マウス１６の操作によって移動可能に表示される矢印形状のカーソル２９を、アイコン２８ａの上部に位置させる。そうすると、検知部はこれを検知して、アイコン２８ａをクリックし、ウィンドウ２５が開いて表示された際のウィンドウ２５の面積比率を表示する。この場合、具体的には、表示画面１７の右下の隅部において、表示画面１７を縮小した縮小表示画面３０が表示される。
【００３０】
このように構成することにより、アイコン２８ａをクリックしてウィンドウ２５を開いて表示させた際のウィンドウ２５の面積比率のみならず、表示画面１７のより具体的なイメージを想定しやすくすることができる。
【００３１】
この場合、表示制御部２２は、縮小表示画面３０が表示画面１７の隅部に表示するよう制御しているため、ユーザーにとってより見やすく表示させることができる。
【００３２】
なお、上記の実施の形態においては、縮小表示画面３０といった画像によって予めウィンドウの面積比率を表示することとしたが、これに限らず、例えば、文字によって面積比率を表示するようにしてもよい。具体的には、例えば、カーソル２９をアイコン２８ａの上部に位置させた際に、「ウィンドウの面積比率は、３０％です。」といった表示を表示画面の隅部や、いずれかの位置においてするようにしてもよい。
【００３３】
また、このような表示制御装置１３は、コンピューター１２に接続されたディスプレイ１４の表示画面１７のみに限らず、例えば、スマートフォン等の携帯端末装置の表示を制御する際にも利用される。なお、この場合の所定の操作は、タッチパネルとして機能するスマートフォンの表示画面におけるアイコンへのタッチ操作である。
【００３４】
図７は、この発明に係る表示制御装置を含む携帯端末装置の構成を示すブロック図である。図７を参照して、携帯端末装置３１は、携帯端末装置制御部３２と、ハードディスク３３と、表示画面３４と、表示制御装置３５とを備える。携帯端末装置制御部３２は、携帯端末装置３１自身を制御する。ハードディスク３３は、データを格納する。表示画面３４は、情報を表示する。表示画面３４には、アイコン等が表示される。
【００３５】
表示制御装置３５は、面積比率取得部３６と、表示制御部３７とを備える。面積比率取得部３６は、ウィンドウを開いた際の表示画面３４に対するウィンドウの面積比率を取得する。表示制御部３７は、面積比率取得部３６により取得されたウィンドウの面積比率を表示画面３４に表示するよう制御する。このような構成によっても、ユーザーの利便性を向上することができる。
【００３６】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３７】
この発明に係る表示制御装置は、ユーザーの利便性の向上が要求される場合に、特に有効に利用される。
【符号の説明】
【００３８】
１１  表示システム、１２  コンピューター、１３，３５  表示制御装置、１４  ディスプレイ、１５  キーボード、１６  マウス、１７，３４  表示画面、１８  コンピューター制御部、１９，３３  ハードディスク、２１，３６  面積比率取得部、２２，３７  表示制御部、２３ａ，２３ｂ，２３ｃ，２６ａ，２６ｂ，２６ｃ，２８ａ，２８ｂ，２８ｃ  アイコン、２４ａ，２４ｂ，２４ｃ  面積比率、２５  ウィンドウ、２７ａ，２７ｂ，２７ｃ  領域、２９  カーソル、３０  縮小表示画面、３１  携帯端末装置、３２  携帯端末装置制御部。
【図１】
0006414105.tif 000002
【図２】
0006414105.tif 000003
【図３】
0006414105.tif 000004
【図４】
0006414105.tif 000005
【図５】
0006414105.tif 000006
【図６】
0006414105.tif 000007
【図７】
0006414105.tif 000008